(57)【要約】【課題】シート１０同士の重ね合わせ部分やタッカー針１７の打ち込み部分からの雨水の侵入を防止し、かつ瓦桟１９を垂木１８に固定し易い瓦屋根用防水シート１０を提供すること。【解決手段】表面が平坦で厚みが滑り止め用微小突起１６の高さと同じ縦帯部１１を設け、ここにタッカー針１７を打ち込んでシート１０を固定する。厚みがあるので作業者の足圧が加わったり、昼夜の温度差で膨張収縮してもタッカー針１７の打ち込み個所に亀裂が生じ難い。シート１０同士の重ね合わせ部は平坦な側帯部１４同士が重なるので、縦帯部１１を垂木１８の間隔で配置し、垂木１８の位置を示す目印にする。縦帯部１１の両縁を下広がりの傾斜面１１ａにし、雨水が縦帯部１１の表面から傾斜面１１ａを伝って流れ下るようにする。【選択図】  図１
2004156280.tif 000002
【特許請求の範囲】
【請求項１】
表面に多数の滑り止め用微少突起を形成した瓦屋根用防水シートであって、表面が平坦でタッカー針の幅より大きい幅を有し高さが前記滑り止め用微少突起と同じ縦帯部を一定間隔で形成し、側縁に表裏両面が平坦で縦帯部と同じ高さを有し、隣接して敷かれるシート同士の重ね合わせ部となる縁帯部を形成したことを特徴とする瓦屋根用防水シート。
【請求項２】
前記縦帯部を垂木の間隔で配列したことを特徴とする請求項１に記載の瓦屋根用防水シート。
【請求項３】
前記縦帯部の両縁を下広がりの傾斜面に形成したことを特徴とする請求項１に記載の瓦屋根用防水シート。
【請求項４】
前記縦帯部と縦帯部の中間に縦帯部と同じ高さを有する水返し用帯部を縦帯部と平行に形成したことを特徴とする請求項１に記載の瓦屋根用防水シート。
【発明の詳細な説明】
【０００１】
【発明の属する技術分野】
本発明は瓦屋根用防水シートに関する。
【０００２】
【従来の技術】
一般に、桟瓦葺きの瓦屋根は垂木に野地板を釘で固定し、野路板に防水シートを敷いてタッカー針で固定し、防水シートの上から瓦桟を釘で野地板に固定し、瓦裏面に設けた爪をこの瓦桟に引っ掛け、さらに瓦の釘穴に釘を打ち込んで瓦を固定している。
この種の瓦屋根に使う防水シートの一形式として、特開２００１−２０４７２号公報には、表面に多数の微少滑り止め突起を形成して、瓦桟の固定作業や瓦噴き作業のとき足元が滑らないようにしたものが開示されている。
この防水シートを野地板に敷いて、その上から瓦桟を固定すると、微少滑り止め突起によって瓦桟の底面と防水シートの間に隙間が形成され。この隙間から雨水が軒側へ流出するので、瓦桟に沿って雨水が溜まり、これが原因で瓦桟が腐食するのを防止できる。
【０００３】
【発明が解決しようとする課題】
上記した従来の瓦屋根用防水シートは、全面に微少滑り止め突起を形成しているが、突起の無い部分はシートが薄いので、タッカー針を打ち込んだ部分に、作業者の足圧や、昼夜の温度差に起因する膨張収縮によって亀裂が生じ易く、そこから雨水が浸入するおそれがある。
また、シートを複数枚敷いたとき、隣接するシート同士の重ね合わせ部分に微少滑り止め突起によって隙間が生じ、強風雨時にその隙間から雨水がシートの裏側へ侵入し、雨漏りの原因となる。
さらに、シートの重ね合わせ部分にタッカー針を打ち込んでシートを固定するとき、微少滑り止め突起による隙間があるためタッカー針がシートに食い込んで亀裂が生じ易く、その亀裂から雨水が侵入するおそれがある。
野地板の上に防水シートを敷いてその上から瓦桟を固定するので、垂木の位置が判り難く、瓦桟を固定する釘を垂木に打ち付ける作業に手間がかかる。
本発明はかかる問題点に鑑み、シート同士の重ね合わせ部分やタッカー針の打ち込み部分からの雨水の侵入を防止し、かつ瓦桟を垂木に固定し易い瓦屋根用防水シートを提供することを目的とする。
【０００４】
【課題を解決するための手段】
上記目的を達成するため本発明は、表面に多数の滑り止め用微少突起を形成した瓦屋根用防水シートであって、表面が平坦でタッカー針の幅より大きい幅を有し高さが前記滑り止め用微少突起と同じ縦帯部を一定間隔で形成し、側縁に表裏両面が平坦で縦帯部と同じ高さを有し、隣接して敷かれるシート同士の重ね合わせ部となる縁帯部を形成したことを特徴とする。
そして、好ましくは前記縦帯部を垂木の間隔で配列する。また、前記縦帯部の両縁を下広がりの傾斜面に形成する。さらに、前記縦帯部と縦帯部の中間に縦帯部と同じ高さを有する水返し用帯部を縦帯部と平行に形成する。
【０００５】
【発明の作用・効果】
本発明によれば、表面が平坦で厚みが滑り止め用微小突起の高さと同じ縦帯部を設けたので、ここにタッカー針を打ち込んでシートを固定すれば、厚みがあるので作業者の足圧が加わったり、昼夜の温度差で膨張収縮してもタッカー針の打ち込み個所に亀裂が生じ難い。また、表裏両面が平坦な側帯部を設けたので、側帯部を重ね合わせるようにして隣接するシートを敷けば、シート同士の重ね合わせ部に隙間が生じない。そのため、重ね合わせ部から雨水が浸入したり、重ね合わせ部にタッカー針を打ち込んだとき亀裂が生じるのを防止できる。
そして、縦帯部を垂木の間隔で配置することで、垂木の位置を示す目印となるので、瓦桟に釘を打ち込んで垂木に固定する作業が容易になる。
また、縦帯部の両縁を下広がりの傾斜面にすることで、雨水が縦帯部の表面から傾斜面を伝って流れ下るので、縦帯部に雨水が溜まり難くなり、縦帯部に打ち込んだタッカー針の針穴から雨水がシートの裏側へ侵入するのを防止できる。
さらに、縦帯部と縦帯部の中間に水返し用帯部を設けることにより、隣接するシートの横縁の重ね合わせ部分に雨水が侵入するのを防止できる。
【０００６】
【発明の実施の形態】
以下に本発明を図面に基づき説明するに、図１には本発明の一実施形態に係る瓦屋根用防水シート１０が示されている。当該防水シート１０は合成ゴム、天然ゴム、合成樹脂等の防水性及び耐久性を有する樹脂シートからなり、表面には３本の縦帯部１１が一定の間隔で平行に形成され、縦帯部１１と縦帯部１１の中間に縦帯部１１と平行に幅の狭い水返し用帯部１２が形成されている。水返し用帯部１２の下端部には菱形部１３が形成されている。シート１０の上側縁部に横に延びる側帯部１４が形成されている。側帯部１４の中間部より若干端側に、横に延びる水返し用凸条１５が形成されている。側帯部１４と縦帯部１１及び水返し用帯部１２の表面は平坦に形成されている。側帯部１４と縦帯部１１及び水返し用帯部１２の形成された部分以外の表面領域には多数の滑り止め用微少突起１６が形成されている。一方、防水シート１０の裏面は平坦に形成されている。
【０００７】
縦帯部１１は両側面が下広がりの傾斜面１１ａに成形され（図３参照）、幅はタッカー針１７を打ち込んでもはみ出ないように針幅より大きく設定されている。また、縦帯部１１と縦帯部１１の間隔は屋根の垂木１８と垂木１８の間隔に等しくなるように設定されている。菱形部１３もタッカー針１７がはみ出ないようにその大きさが設定されている。縦帯部１１、水返し用帯部１２、菱形部１３及び側帯部１４はいずれも高さが滑り止め用微少突起と同じになるように、その厚みが設定されている。
【０００８】
本実施形態に係る瓦屋根用防水シート１０の構造は以上の通りであって、図２〜図４にその使用方法を示す。図２に示すように、軒側から棟側へ順に防水シート１０を野地板１９の上に敷いていく。軒先のシート１０を敷くとき、側帯部１４が棟側に位置するように、かつ縦帯部１１が垂木１８の位置に重なるように、敷く位置を調整する。軒先のシート１０を敷いたら、縦帯部１１と菱形部１３にタッカー針１７を打ち込んで、防水シート１０を野地板１９に固定する。次に、隣接するシート１０を敷く。このとき軒先のシート１０の側帯部１４に隣接するシート１０の半側帯部側の端部を重ね合わせると共に、軒先のシート１０の縦帯部１１と隣接するシート１０の縦帯部１１が整列するように隣接するシート１０を敷き、タッカー針１７で固定する。タッカー針１７はシート１０同士の重ね合わせ部分の縦帯部１１と菱形部１７にも打ち込んで、両シート１０を野地板１９に固定する。
【０００９】
次ぎに、タッカー針１７で野地板１９に固定した防水シート１０の上から瓦桟２０を所定の間隔で並べて釘２１で固定する。図３に示すように、釘２１を縦帯部１１の位置に打ち込むことで、その下にある垂木１８にまで釘２１を打ち込むことができる。そして、図４に示すように、瓦桟２０に瓦２２の爪２２ａを引っ掛けて瓦２２を葺く。
【００１０】
本実施形態に係る瓦屋根用防水シート１０は、表面が平坦で厚みが滑り止め用微小突起１６の高さと同じ縦帯部１１を設けたので、ここにタッカー針１７を打ち込んでシート１０を固定すれば、厚みがあるので作業者の足圧が加わったり、昼夜の温度差で膨張収縮してもタッカー針１７の打ち込み個所に亀裂が生じ難い。また、表裏両面が平坦な側帯部１４を設けたので、側帯部１４を重ね合わせるようにして隣接するシート１０を敷けば、シート１０同士の重ね合わせ部は平坦な側帯部１４同士が重なることになり、隙間が生じない。加えて、側帯部１４に水返し用凸条１５を設けたので、重ね合わせ部から雨水が浸入しするのを確実に防止できる。
【００１１】
縦帯部１１を垂木１８の間隔で配置したので、垂木１８の位置を示す目印となり、瓦桟２０に釘２１を打ち込んで垂木１８に強固に固定できる。
また、縦帯部１１の両縁を下広がりの傾斜面１１ａにしたので、雨水が縦帯部１１の表面から傾斜面１１ａを伝って流れ下る。従って、縦帯部１１に雨水が溜まり難くなり、縦帯部１１に打ち込んだタッカー針１７の針穴から雨水がシート１０の裏側へ侵入するのを防止できる。
さらに、縦帯部１１と縦帯部１１の中間に水返し用帯部１２を設けたので、隣接するシート１０の横縁の重ね合わせ部分に雨水が侵入するのを防止できる。
【図面の簡単な説明】
【図１】本発明の一実施形態に係る瓦屋根用防水シートを示す斜視図である。
【図２】同防水シートの使用方法を示す斜視図である。
【図３】図２の３−３線から切断した拡大断面図である。
【図４】本発明の一実施形態に係る防水シートを使用した瓦屋根を示す部分断面図である。
【符号の説明】
１０…瓦屋根用防水シート、１１…縦帯部、１２…水返し用帯部、１３…菱形部、１４…側帯部、１５…水返し用凸条、１６…滑り止め用微少突起、１７…タッカー針、１８…垂木、１９…野地板、２０…瓦桟、２１…釘。
【図１】
2004156280.tif 000003
【図２】
2004156280.tif 000004
【図３】
2004156280.tif 000005
【図４】
2004156280.tif 000006